(57)【要約】【課題】森林浴効果、即ちフィトンチッドの有するリフレッシュメント効果とマイナスイオン延命／持続化という作用に伴う効果を居ながらにして得ることのできるフィトンチッド水溶液の提供。【解決手段】森林浴効果の源であるフィトンチッドをシクロデキストリンに包接させて、水溶液とする。このフィトンチッド水溶液を室内や衣料品に噴霧して身体の近くにフィトンチッドを発散させ、またこれによってマイナスイオンの延命／持続化させる効果を居ながらにして得ることを可能にする。【特許請求の範囲】
【請求項１】
フィトンチッドを包接したシクロデキストリンを含むフィトンチッド水溶液。
【請求項２】
シクロデキストリン１重量部当たりフィトンチッドを０．０２〜０．２重量部包接したシクロデキストリンを含む請求項１に記載のフィトンチッド水溶液。
【請求項３】
フィトンチッドが、ヒノキ油、ラベンダー油、アビエス油、バジル油、ベルガモット油、ユーカリ油、ペパーミント油、テレピン油、ベチバー油、ローズマリー油、ローズ油、ショウノウ油、レモン油、クローブ油、およびティーツリー油からなる群から選択される請求項１または２に記載のフィトンチッド水溶液。
【請求項４】
フィトンチッドが、テルペン炭化水素、テルペンアルコール、テルペンアルデヒド、テルペンケトン、テルペンオキシド、およびテルペンラクトンからなる群から選択される請求項１ないし３のいずれかに記載のフィトンチッド水溶液。
【請求項５】
フィトンチッドが、リナロール、テルピネオール、メントール、リモネン、ピネン、酢酸ボルニル、メチルチャビコール、酢酸リナレル、シネオール、ベチベロールなる群から選択される請求項１ないし４のいずれかに記載のフィトンチッド水溶液。
【請求項６】
衣料品に噴霧用請求項１ないし４のいずれかに記載のフィトンチッド水溶液。
【請求項７】
室内噴霧用請求項１ないし４のいずれかに記載のフィトンチッド水溶液。
【請求項８】
イオンコンディショナー補給水用請求項１ないし４のいずれかに記載のフィトンチッド水溶液。
【発明の詳細な説明】
【０００１】
【発明の属する分野】
本発明は、フィトンチッド水溶液に関する。詳しくは、フィトンチッドを包接したシクロデキストリン水溶液を例えば室内や衣料品に噴霧し、環境にマイナスイオンを発生させる噴霧用フィトンチッド水溶液に関する。また、本発明のフィトンチッド水溶液はイオンコンディショナー給水用にも使用できる。
【０００２】
【従来の技術】
従来、森林浴をすると、すがすがしく感じ、健康に良いことが認識されている。これは植物がその生命を維持するため、また自らの成長を促すために、植物はその幹や葉から揮発性物質を大気中に放出しており、この現象は森林気相現象と言われている、所謂フィトンチッドの効果である。フィトンチッドはまたハーブ、アロマ、天然精油とも言われるテルペン類等の揮発性成分である。この揮発しているフィトンチッドを浴びることを森林浴といい、その爽快な芳香によるリフレッシュメント、消臭、抗菌防虫などの作用から、最近ではずいぶんと生活の中に定着してきている。
さらに、この森林気相現象による森林生態系への自浄作用も知られている。この作用はフィトンチッドに富む雰囲気存在する高濃度のマイナスイオンの作用であり、フィトンチッドはマイナスイオンを発生させるだけでなく、雰囲気に存在するマイナスイオンを延命させ得、持続的に高濃度に存在させるものである。
【０００３】
マイナスイオンには、森林生態系への自浄作用のみならず、人体に対しても次のような種々の効果が知られている。例えば、
血液浄化作用・・・マイナス電位を人体に負荷することにより、血液中のカルシウム及びナトリウムのイオン化率が上昇し、血液の弱アルカリ化が進む。
細胞の賦活作用・・・マイナスイオンの増加は細胞膜の電気的作用を促進させ、新陳代謝が活発になる。血液中のカルシウムの増加は筋肉と心筋の活性化を高める。
抵抗力の増加・・・マイナスイオンは血液中のγ−グルブリンを増加させ、その増加は病気に対する抵抗力を高める。
自律神経の調整作用・・・マイナスイオンは自律神経の機能を向上させ、内分泌の働きをよくするとともに、造血作用を改善する。
マイナスイオンはこのような作用の複合により、ストレスの解消、眠気防止、制汗、食欲増進、血圧正常化、爽快感、疲労回復などの健康増進に効果がある。従って、森林浴は、フィトンチッドによるリフレッシュメント、消臭、抗菌防虫などの作用作用とマイナスイオンの発生および持続させる効果などの相乗効果により、爽やかなリフレッシュ感に浸りながら健康増進を図ることができるとともに、消臭、抗菌防虫なども行うことができる。
マイナスイオンは普通の生活環境の中にも存在するがその寿命は極めて短く普通の生活環境においては高濃度のマイナスイオンに浴することはできない。
【０００４】
【発明が解決しようとする課題】
本発明は、上述のようなフィトンチッドの有するリフレッシュメント効果とマイナスイオン延命／持続化という作用に伴う効果を居ながらにして得たいという要望を満たすことを課題としてなされたものである。
【０００５】
【課題を解決するための手段】
本発明は、フィトンチッドを包接したシクロデキストリンを含む噴霧用フィトンチッドであり、フィトンチッドとしては、噴霧後雰囲気の水分の存在によって包接体から解離してマイナスイオンを発生させる精油成分を含むものを用いることよりなる。
フィトンチッドをシクロデキストリン（以下、ＣＤと記す）に包接させることによって、フィトンチッドを水への高分散化（可溶化）が可能となり、この水溶液を、例えば衣服に噴霧し、水分が蒸発するとフィトンチッド包接ＣＤが均一に衣服に分散保持された状態になり、環境湿度が高くなったり、汗をかいたりした場合に包接体からフィトンチッドの解離が起こり、フィトンチッドをゆっくりと持続的に放出させ得、これによりマイナスイオンを発生させるとともにマイナスイオン生活雰囲気に高濃度に存在させ得ることに基づくものである。
【０００６】
【発明の実施の態様】
本発明で使用するＣＤは、天然型ＣＤ、或いは化学修飾または酵素修飾したＣＤであり、ＣＤとしては環の大きさの異なるα、β、γ型のＣＤが工業的に生産されているが、その何れも利用可能である。また、化学修飾または酵素修飾したＣＤとしては、メチル化ＣＤ（例えば、ワッカーバイオケム社製、ＣＡＶＡＳＯＬＷ７Ｍ）、ヒドロキシプロピル化ＣＤ（例えば、ワッカーバイオケム社製、ＣＡＶＡＳＯＬ　Ｗ７ＨＰ）、アセチル化ＣＤ（例えば、ワッカーバイオケム社製、ＣＡＶＡＳＯＬＷ７Ａ）、モノクロロトリアジノＣＤ（例えば、ワッカーバイオケム社製、ＣＡＶＡＳＯＬ　Ｗ７ＭＣＴ）、スルフォブチル化ＣＤ（例えば、米国サイデックス社製、ＣＡＰＴＩＳＯＬ）、グルコシル化ＣＤ、マルトシル化ＣＤ（例えば、株式会社横浜国際バイオ研究所社製）などを利用することができる。好ましくはβＣＤ，さらに好ましくはメチル化βＣＤを用いる。
【０００７】
ＣＤに包接させるフィトンチッドとしては、植物体を水蒸気蒸留して得られる多数の成分を含む天然精油であってもよいし、あるいは精油から単離または合成された単一若しくは複数の成分であってもよい。また、これらの成分または成分群ごとにＣＤ包接体水溶液を調製し、使用に際してこれらを調合することもできる。フィトンチッドの中の特にテルペン類などに効果がある。
【０００８】
使用できる精油としては、例えば、ヒノキ油（成分：ピネン、テルピネオール、セスキテルペンアルコールなど）、ラベンダー油（成分：酢酸リナリル、リナロール、ゲラニオール、ラバンズロール、ネロール、ボルネオール、酢酸ボルニルなど）、アビエス油（主成分：酢酸ボルニル）、バジル油（主成分：メチルチャビコール）、ベルガモット油（主成分：酢酸リナレル）、ユーカリ油（主成分：シネオール）、ペパーミント油（主成分：ｌ−メントール）、タイム油（成分：チモール、カルバクロール、ｐ−シメン、α−ピネン、ボルネオール、リナロールなど）、テレピン油（主成分：ピネン）、ベチバー油（主成分：ベチベロール）、ローズマリー油（主成分：ボルネオール）、ローズ油（主成分：ゲラニオール）、ショウノウ油（主成分：ボルネオール）、レモン油（主成分：リモネン）、ティーツリー油（主成分：テルピネオール）などを挙げることができる。
【０００９】
単一成分としては、テルペン炭化水素、テルペンアルコール、テルペンアルデヒド、テルペンケトン、テルペンオキシド、またはテルペンラクトンなどである。これら成分のうち、マイナスイオンの発生・延命については、不飽和結合と水酸基を有するテルペンアルコール、例えば、リナロール、テルピネオールなどが大きく、また水酸基の存在はマイナスイオンを延命・安定化させる効果がある。一方、オイゲノールやアネトールなど芳香族系成分を主成分とする丁子油やアニス油では、テルペン類を主成分とする精油に比べてマイナスイオンの発生・延命作用は少ない。しかし、水酸基を有するものはマイナスイオンを延命させる効果を有する。好ましくは不飽和結合および／または水酸基を有するテルペン化合物またはそのエステルであり、特に好ましくは不飽和テルペンアルコールである。さらに具体的には、リナロール、ゲラニオール、メントール、テルピネオール、ボルネオール、シネオール、酢酸ボルニル、酢酸リナリルなどを好ましく例示することができる。
したがって、ＣＤに包接させる精油としては、不飽和テルペンアルコール、例えばリナロール、テルピネオールなどを主成分とする各種精油が好ましい。
【００１０】
本発明のフィトンチッド水溶液の製造は、ＣＤの１〜２０％水溶液、好ましくは８〜１２％（約１０％）水溶液を調製し、これにフィトンチッドを加えて攪拌することによって均一系高濃度のフィトンチッド包接ＣＤ水溶液得ることができる。ＣＤ１重量部当たりフィトンチッドを０．０１〜０．２重量部、好ましくは０．０５〜０．１重量部包接させる。均一系高濃度のフィトンチッド包接ＣＤ水溶液は、用いるＣＤの種類、使用量、精油の種類によって、フィトンチッド濃度として５〜１０％の高い濃度まで調製可能であるが、本発明の目的に照らして汎用的な使用を考えると、０．０１〜１０％、好ましくは０．１〜５％に調製する。噴霧使用するに際しては、噴霧液中のフィトンチッドの濃度が０．０１〜０．２％になるようにこの水溶液をさらに水で希釈して用いるのが望ましい。
また、イオンコンディショナーの水に添加する場合には、イオンコンディショナー内でのフィトンチッドの濃度が０．０００１〜０．１％、好ましくは０．００５〜０．００２％となるように添加するのが望ましい。
【００１１】
本発明のフィトンチッド水溶液は、衣類や室内に噴霧して、あるいはイオンコンディショナーの給水に添加するなどして使用することができる。例えば、洗濯後の衣類、或いは朝出かける前に着用している衣類、特に肌着に噴霧しておくことによって、または室内に噴霧しておくことによって、フィトンチッド自体がマイナスイオンを発生させるだけでなく、雰囲気に存在するマイナスイオンを延命長時間に亘って安定に存在させ、高濃度のマイナスイオンに浴することができる。以下、実施例を挙げて本発明を説明する。
【００１２】
【実施例１】
（１）　フィトンチッド水溶液（アロマ水と記すことがある）噴霧肌着の調製
１０ｍＬの水に１ｇのメチル化β−ＣＤを溶解し、これにヒノキ油を５０ｍｇを加えて攪拌して精油成分をＣＤに包接させた均一溶液を調製した。この水溶液を１０倍希釈して、その希釈水２０ｃｃを万遍なく肌着（０．６ｍ２）に噴霧した。
（２）　イオンコンディショナー併用によるマイナスイオン量の測定
約３９ｍ２の和室の戸窓を閉じ、室温（１０〜１５℃）、湿度３０〜６５％で、マイナスイオンを発生する保湿器（「アクアデュー」：　松下電器産業株式会社製イオンコンディショナー）に、上記肌着（０．６ｍ２）で覆った場合のマイナスイオン量を、マイナスイオン測定器を保湿器から１ｍの距離に置いて測定した。
測定は、朝９時にマイナスイオン量を測定後、イオンコンディショナーのスイッチを入れ、１時間後にマイナスイオン量を測定して後、万遍なくフィトンチッド水溶液２０ｃｃを噴霧した肌着（０．６ｍ２）で保湿器を覆い、１時間後イオンコンディショナーのスイッチを切り、さらに１時間後および２時間後に測定した。結果を図１に示した。なお、図２は肌着で覆わなかった場合の測定値である。
図１と図２の比較から明らかなように、イオンコンディショナーのスイッチを切った後のマイナスイオンの発生量、持続効果が大きく、一旦マイナスイオンを発生させると持続的な森林浴の効果が期待できる。
【００１３】
【実施例２】
（１）　フィトンチッド水溶液の調製
１０ｍＭの水に１ｇのメチル化β−ＣＤを溶解し、これにタイム油、ラベンダー油、ヒノキ油をそれぞれ別個に５０ｍｇを加えて攪拌して精油成分をＣＤに包接させた３種の均一溶液を調製した。
（２）　イオンコンディショナー併用による各種フィトンチッド水溶液のマイナスイオン発生量の測定
約３９ｍ２の和室の戸窓を閉じ、室温（１０〜１５℃）、湿度３０〜６５％で、マイナスイオンを発生する保湿器（イオンコンディショナー松下電器産業株式会社製「アクアデュー」）を用いて、水道水のみを用いた場合と、上記の調製した各種フィットンチッド水を各５ｃｃ添加した場合のマイナスイオン量を、マイナスイオン測定器を保湿器から１ｍの距離に置いて測定した。
測定は、朝９時にマイナスイオン量を測定後、イオンコンディショナーのスイッチを入れ、１時間後にマイナスイオン量を測定して後、上記アロマ水を５ｃｃ添加して測定、さらに１時間後イオンコンディショナーのスイッチを切り、さらに１時間後および２時間後に測定した。結果を図３〜５に示した。
図３〜５と図２の比較から明らかなように、本発明フィトンチド水溶液をイオンコンディショナーの水に少量添加することによって、室内のマイナスイオン濃度が高くなり、イオンコンディショナーのスイッチを切った後も高濃度にフィトンチッドがマイナスイオンを延命させ持続的に存在させることができる。
【００１４】
【発明の効果】
本発明の噴霧用フィトンチッド水溶液を、着ている衣服、特に肌着に噴霧しておくことによって、ＣＤからフィトンチッドがゆっくりと解離してきてフィトンチッドから生成してくるマイナスイオンおよび雰囲気に存在するマイナスイオンを持続的に存在させ得、長時間に亘り上述のフィトンチッドの作用により健康への好影響が期待できる。
【図面の簡単な説明】
【図１】本発明フィトンチッド水溶液（アロマ水）を噴霧した衣類を室内に置き、イオンコンディショナー稼動時の室内のマイナスイオンの濃度を示すグラフ。
【図２】イオンコンディショナー稼動時の室内のマイナスイオンの濃度を示すグラフ。
【図３】フィトンチッドとしてヒノキ油を用いたヒトンチッド水溶液（アロマ水）をイオンコンディショナーの水に添加したときの室内のマイナスイオンの濃度を示すグラフ。
【図４】フィトンチッドとしてラベンダー油を用いたヒトンチッド水溶液（アロマ水）をイオンコンディショナーの水に添加したときの室内のマイナスイオンの濃度を示すグラフ。
【図５】フィトンチッドとしてタイム油を用いたヒトンチッド水溶液（アロマ水）をイオンコンディショナーの水に添加したときの室内のマイナスイオンの濃度を示すグラフ。
【図１】
2004059874.tif 000002
【図２】
2004059874.tif 000003
【図３】
2004059874.tif 000004
【図４】
2004059874.tif 000005
【図５】
2004059874.tif 000006
【手続補正書】
【提出日】平成14年9月17日(2002.9.17)
【手続補正２】
【補正対象書類名】明細書
【補正対象項目名】０００２
【補正方法】変更
【補正の内容】
【０００２】
【従来の技術】
従来、森林浴をすると、すがすがしく感じ、健康に良いことが認識されている。これは植物がその生命を維持するため、また自らの成長を促すために、植物はその幹や葉から揮発性物質を大気中に放出しており、この現象は森林気相現象と言われている、所謂フィトンチッドの効果である。フィトンチッドはまたハーブ、アロマ、天然精油とも言われるテルペン類等の揮発性成分である。この揮発しているフィトンチッドを浴びることを森林浴といい、その爽快な芳香によるリフレッシュメント、消臭、抗菌防虫などの作用から、最近ではずいぶんと生活の中に定着してきている。
さらに、この森林気相現象による森林生態系への自浄作用も知られている。この作用はフィトンチッドに富む雰囲気に存在する高濃度のマイナスイオンの作用であり、フィトンチッドはマイナスイオンを発生させるだけでなく、雰囲気に存在するマイナスイオンを延命させ得、持続的に高濃度に存在させるものである。


【手続補正３】
【補正対象書類名】明細書
【補正対象項目名】０００３
【補正方法】変更
【補正の内容】
【０００３】
マイナスイオンには、森林生態系への自浄作用のみならず、人体に対しても次のような種々の効果が知られている。例えば、
血液浄化作用・・・マイナス電位を人体に負荷することにより、血液中のカルシウム及びナトリウムのイオン化率が上昇し、血液の弱アルカリ化が進む。
細胞の賦活作用・・・マイナスイオンの増加は細胞膜の電気的作用を促進させ、新陳代謝が活発になる。血液中のカルシウムの増加は筋肉と心筋の活性化を高める。
抵抗力の増加・・・マイナスイオンは血液中のγ−グルブリンを増加させ、その増加は病気に対する抵抗力を高める。
自律神経の調整作用・・・マイナスイオンは自律神経の機能を向上させ、内分泌の働きをよくするとともに、造血作用を改善する。
マイナスイオンはこのような作用の複合により、ストレスの解消、眠気防止、制汗、食欲増進、血圧正常化、爽快感、疲労回復などの健康増進に効果がある。従って、森林浴は、フィトンチッドによるリフレッシュメント、消臭、抗菌防虫などの作用とマイナスイオンの発生および持続させる効果などの相乗効果により、爽やかなリフレッシュ感に浸りながら健康増進を図ることができるとともに、消臭、抗菌防虫なども行うことができる。
マイナスイオンは普通の生活環境の中のも存在するがその寿命は極めて短く普通の生活環境においては高濃度のマイナスイオンに浴することはできない。


【手続補正４】
【補正対象書類名】明細書
【補正対象項目名】０００７
【補正方法】変更
【補正の内容】
【０００７】
ＣＤに包接させるフィトンチッドとしては、植物体を水蒸気蒸留して得られる多数の成分を含む天然精油であってもよいし、あるいは精油から単離または合成された単一若しくは複数の成分であってもよい。また、これらの成分または成分群ごとにＣＤ包接体水溶液を調製し、使用に際してこれらを調合することもできる。フィトンチッドの中の特にテルペン類などが効果がある。


【手続補正５】
【補正対象書類名】明細書
【補正対象項目名】０００９
【補正方法】変更
【補正の内容】
【０００９】
単一成分としては、テルペン炭化水素、テルペンアルコール、テルペンアルデヒド、テルペンケトン、テルペンオキシド、またはテルペンラクトンなどである。これら成分のうち、マイナスイオンの発生・延命については、不飽和結合と水酸基を有するテルペンアルコール、例えば、リナロール、テルピネオールなどが効果が大きく、また水酸基の存在はマイナスイオンを延命・安定化させる効果がある。一方、オイゲノールやアネトールなど芳香族系成分を主成分とする丁子油やアニス油では、テルペン類を主成分とする精油に比べてマイナスイオンの発生・延命作用は少ない。しかし、水酸基を有するものはマイナスイオンを延命させる効果を有する。好ましくは不飽和結合および／または水酸基を有するテルペン化合物またはそのエステルであり、特に好ましくは不飽和テルペンアルコールである。さらに具体的には、リナロール、ゲラニオール、メントール、テルピネオール、ボルネオール、シネオール、酢酸ボルニル、酢酸リナリルなどを好ましく例示することができる。
したがって、ＣＤに包接させる精油としては、不飽和テルペンアルコール、例えばリナロール、テルピネオールなどを主成分とする各種精油が好ましい。


【手続補正６】
【補正対象書類名】明細書
【補正対象項目名】００１０
【補正方法】変更
【補正の内容】
【００１０】
本発明のフィトンチッド水溶液の製造は、ＣＤの１〜２０％水溶液、好ましくは８〜１２％（約１０％）水溶液を調製し、これにフィトンチッドを加えて攪拌することによって均一系高濃度のフィトンチッド包接ＣＤ水溶液を得ることができる。ＣＤ１重量部当たりフィトンチッドを０．０１〜０．２重量部、好ましくは０．０５〜０．１重量部包接させる。均一系高濃度のフィトンチッド包接ＣＤ水溶液は、用いるＣＤの種類、使用量、精油の種類によって、フィトンチッド濃度として５〜１０％の高い濃度まで調製可能であるが、本発明の目的に照らして汎用的な使用を考えると、０．０１〜１０％、好ましくは０．１〜５％に調製する。噴霧使用するに際しては、噴霧液中のフィトンチッドの濃度が０．０１〜０．２％になるようにこの水溶液をさらに水で希釈して用いるのが望ましい。
また、イオンコンディショナーの水に添加する場合には、イオンコンディショナー内でのフィトンチッドの濃度が０．０００１〜０．１％、好ましくは０．００５〜０．００２％となるように添加するのが望ましい。


【手続補正７】
【補正対象書類名】明細書
【補正対象項目名】００１１
【補正方法】変更
【補正の内容】
【００１１】
本発明のフィトンチッド水溶液は、衣類や室内に噴霧して、あるいはイオンコンディショナーの給水に添加するなどして使用することができる。例えば、洗濯後の衣類、或いは朝出かける前に着用している衣類、特に肌着に噴霧しておくことによって、または室内に噴霧しておくことによって、フィトンチッド自体がマイナスイオンを発生させるだけでなく、雰囲気に存在するマイナスイオンを延命及び長時間に亘って安定に存在させ、高濃度のマイナスイオンに浴することができる。
以下、実施例を挙げて本発明を説明する。


【手続補正８】
【補正対象書類名】明細書
【補正対象項目名】００１３
【補正方法】変更
【補正の内容】
【００１３】
【実施例１】
（１）　フィトンチッド水溶液（アロマ水と記すことがある）噴霧肌着の調製
１０ｍｌの水に１ｇのメチル化β−ＣＤを溶解し、これにヒノキ油を５０ｍｇ加えて攪拌して精油成分をＣＤに包接させた均一溶液を調製した。この水溶液を１０倍希釈して、その希釈水２０ｃｃを万遍なく肌着（０．６ｍ２）に噴霧した。
（２）　イオンコンディショナー併用によるマイナスイオン量の測定
約３９ｍ２の和室の戸窓を閉じ、室温（１０〜１５℃）、湿度３０〜６５％で、マイナスイオンを発生する保湿器（「アクアデュー」：　松下電器産業株式会社製イオンコンディショナー）に、上記肌着（０．６ｍ２）で覆った場合のマイナスイオン量を、マイナスイオン測定器を保湿器から１ｍの距離に置いて測定した。
測定は、朝９時にマイナスイオン量を測定後、イオンコンディショナーのスイッチを入れ、１時間後にマイナスイオン量を測定して後、万遍なくフィトンチッド水溶液２０ｃｃを噴霧した肌着（０．６ｍ２）で保湿器を覆い、１時間後イオンコンディショナーのスイッチを切り、さらに１時間後および２時間後に測定した。結果を図１に示した。なお、図２は肌着で覆わなかった場合の測定値である。
図１と図２の比較から明らかなように、イオンコンディショナーのスイッチを切った後のマイナスイオンの発生量、持続効果が大きく、一旦マイナスイオンを発生させると持続的な森林浴の効果が期待できる。


【手続補正９】
【補正対象書類名】明細書
【補正対象項目名】図面の簡単な説明
【補正方法】変更
【補正の内容】
【図面の簡単な説明】
【図１】本発明フィトンチッド水溶液（アロマ水）を噴霧した衣類で保湿器を覆った状態で室内に置き、イオンコンディショナー稼動時の室内のマイナスイオンの濃度を示すグラフ。
【図２】イオンコンディショナー稼動時の室内のマイナスイオンの濃度を示すグラフ。
【図３】フィトンチッドとしてヒノキ油を用いたヒトンチッド水溶液（アロマ水）をイオンコンディショナーの水に添加したときの室内のマイナスイオンの濃度を示すグラフ。
【図４】フィトンチッドとしてラベンダー油を用いたヒトンチッド水溶液（アロマ水）をイオンコンディショナーの水に添加したときの室内のマイナスイオンの濃度を示すグラフ。
【図５】フィトンチッドとしてタイム油を用いたヒトンチッド水溶液（アロマ水）をイオンコンディショナーの水に添加したときの室内のマイナスイオンの濃度を示すグラフ。